(57)【要約】【課題】柱とアンカーボルトの接合強度を増して引抜力を高めと共に、柱の側面を有効活用する。【解決手段】基板１の表面１ａの下側３及び中央部に、断面逆Ｕ字状の第一連結部１０、第二連結部１２を夫々固着する。第一連結部１０に挿通孔１１ａ、第二連結部１２に挿通孔１３ａを形成して、連結金物１５とする。コンクリート製の基礎２０に土台２２を連結し、アンカーボルト２５の上端部２６を上面２３から突出させる。土台２２に柱３６を立設すると共に、柱３６の側面３７に連結金物１５を固定して、アンカーボルト２５の上端部２６を第一連結部１０に、アンカーボルト２５に連結した鋼棒３０の上端部３２を第二連結部１２に夫々係止固定して、連結構造４０とする。【選択図】図２
2008175049.tif 000002
【特許請求の範囲】
【請求項１】
基礎上に、土台を介してあるいは直接に、柱を立設した構造であって、以下の要件を具備して構成したことを特徴とする基礎と柱の連結構造。
(1) 前記柱の側面に、下方から順に第一連結金物、第二連結金物を縦列すると共に、前記各連結金物の連結部を前記柱の軸方向に一致させて配置し、各連結金物を柱に固定する。
(2) アンカーボルト具の下部を前記基礎に埋設し、上部を前記基礎から露出させて配置する。
(3) 前記アンカーボルト具の上部の下側を前記第一連結金物の連結部に連結する。
(4) 前記アンカーボルト具の上部の上側を前記第二連結金物の連結部に連結する。
【請求項２】
基礎上に土台を介してあるいは直接に、柱を立設した構造であって、以下の要件を具備して構成したことを特徴とする基礎と柱の連結構造。
(1) 前記柱の側面に、連結金物を固定し、該連結金物は、下方から順に第一連結部、第二連結部を備え、各連結部を前記柱の軸方向に一致させる。
(2) アンカーボルト具の下部を前記基礎に埋設し、上部を前記基礎から露出させて配置する。
(3) 前記アンカーボルト具の上部の下側を前記連結金物の第一連結部に連結する。
(4) 前記アンカーボルト具の上部の上側を前記連結金物の第二連結部に連結する。
【請求項３】
以下のように構成したことを特徴とする請求項１又は２記載の基礎と柱の連結構造。
(1) アンカーボルト具を、基礎に埋設されたアンカーボルト上端部に、接続金物を介して、前記アンカーボルトの上端部と軸を一致させて、接続棒材の下端部を連結して構成する。
(3) 前記アンカーボルトの上端部、前記接続棒材の下端部又は接続金物の少なくとも一つを、「前記第一連結金物の連結部」又は「前記連結金物の第一連結部」に連結する。
(4) 前記接続棒材の上端部を、「前記第二連結金物の連結部」又は「前記連結金物の第二連結部」に連結する。
【請求項４】
以下のような条件を満たすことを特徴とする連結金物。
(1) 柱の側面に固定できる基板の下部に、第一連結部を形成し、上部に第二連結部を形成する。
(2) 前記第一連結部は、下部を基礎に埋設したアンカーボルト具の上部を、挿通可能な第一挿通孔を有し、第二連結部は、前記アンカーボルト具の上端部を挿通できる第二挿通孔を有する。
(3) 前記第一連結部は、前記アンカーボルト具の対応部分を連結係止できる係止縁を有し、第二連結部は、前記アンカーボルト具の対応部分を連結係止できる係止縁を有する。
【発明の詳細な説明】
【技術分野】
【０００１】
この発明は、木造構造物において、コンクリート製の基礎と柱とを強固に連結し、取り分け柱の引抜力を高めることを目的とした基礎と柱の連結構造、およびこの連結構造に使用する連結金物に関する。
【背景技術】
【０００２】
従来、木造構造物では、基礎の上面に土台を固定し、土台に柱を立てていた。この場合、基礎と土台と柱を一体に構成するために、例えば、基礎と土台を連結するために、基礎に埋設したアンカーボルトの上端部を土台の縦孔に挿通して、アンカーボルトの上端部に各種ナットを螺合して土台の上面に固定していた。また、基礎と柱とを連結するために、柱の側面に引き寄せ金物（ホールダウン金物）を固定し、土台の縦孔を貫通したアンカーボルトの上端部にナットを螺合して引き寄せ金物に係止固定していた。
【０００３】
この場合、「土台と基礎」「基礎と柱」は接合されるが、３部材が接合されないことを解決し、また土台用、基礎用の別々のアンカーボルトが必要となりアンカーボルトの本数が増えることを解決するため、アンカーボルトの上端部につば付きナット（座付きつなぎナット）で土台に固定し、つば付きナットに、引き寄せ金物に頭部を係止固定するボルトの先端部を螺合緊結する構造が提案されていた（特許文献２、３）。また、筋かい固定用の金物を土台に固定するために、筋かい固定金物の上面でアンカーボルトの上端部を長ナットで固定し、長ナットに引き寄せ金物に係止固定したボルトの下端部を螺合緊結する構造も提案されている（特許文献１）。
【０００４】
また、アンカーボルトの軸と引き寄せ金物の取り付け軸とが一致していることが望ましいが、これがずれた場合を考慮して、アンカーボルトの上端部と引き寄せ金物に頭部を係止固定したボルトの下端部を、偏芯した螺穴を有する連結調整ナット（偏心調整金物）を介して連結する構造が提案されている（特許文献４、５）。
【特許文献１】特開平１０−１８４２５
【特許文献２】特開２００１−２４１１１５
【特許文献３】特開２００２−１６７８６７
【特許文献４】特開２００２−３０２９９９
【特許文献５】特開２００３−１２９５６７
【発明の開示】
【発明が解決しようとする課題】
【０００５】
前記従来の技術では、基礎と土台と柱の緊結は強化されるが、柱の引抜力自体を高めることはできなかった。柱自体の材料強度を限度として、一つの柱で負担すべき引抜力を高めるためには、アンカーボルトや引き寄せ金物の材料強度を高め、あるいは柱に連結されるアンカーボルトと引き寄せ金物の数を増やさなければならかった。この場合、土台２２、２２の隅部では、柱３６の隣接する２側面に（図５（ｂ））、土台２２の中間部では柱３６の対向する２側面に（図５（ａ））、夫々引き寄せ金物４２を固定して、対応するアンカーボルト２５を埋設する構造、あるいは柱３６の１側面に２つの引き寄せ金物４２、４２を並べる構造も考えられた（図５（ｃ））。
【０００６】
しかし、これらの方法では、柱３６の同一高さに、引き寄せ金物４２が固定されるため柱３６と引き寄せ金物４２とを固定するためのボルトやスクリューボルトの本数が集中して、柱３６の断面欠損が大きくなり、曲げなどに対する柱３６の強度が軽減される問題点があった。また、第三の構造では、基礎の巾方向にアンカーボルト２５、２５が並列するため、アンカーボルト２５、２５のコンクリートかぶり厚を確保し難い問題点もあった。
【課題を解決するための手段】
【０００７】
然るに、この発明は、柱の側面に、第一連結金物、第二連結金物を軸を一致させて縦列したので、あるいは軸を一致させた第一連結部、第二連結部を備えた連結金物を使用したので、前記問題点を解決した。
【０００８】
即ちこの発明は、基礎上に、土台を介してあるいは直接に、柱を立設した構造であって、以下の要件を具備して構成したことを特徴とする基礎と柱の連結構造である。  
(1) 前記柱の側面に、下方から順に第一連結金物、第二連結金物を縦列すると共に、前記各連結金物の連結部を前記柱の軸方向に一致させて配置し、各連結金物を柱に固定する。  
(2) アンカーボルト具の下部を前記基礎に埋設し、上部を前記基礎から露出させて配置する。  
(3) 前記アンカーボルト具の上部の下側を前記第一連結金物の連結部に連結する。  
(4) 前記アンカーボルト具の上部の上側を前記第二連結金物の連結部に連結する。
【０００９】
また、他の発明は、基礎上に土台を介してあるいは直接に、柱を立設した構造であって、以下の要件を具備して構成したことを特徴とする基礎と柱の連結構造である。  
(1) 前記柱の側面に、連結金物を固定し、該連結金物は、下方から順に第一連結部、第二連結部を備え、各連結部を前記柱の軸方向に一致させる。  
(2) アンカーボルト具の下部を前記基礎に埋設し、上部を前記基礎から露出させて配置する。  
(3) 前記アンカーボルト具の上部の下側を前記連結金物の第一連結部に連結する。  
(4) 前記アンカーボルト具の上部の上側を前記連結金物の第二連結部に連結する。
【００１０】
また、前記各発明において、以下のように構成したことを特徴とする基礎と柱の連結構造である。  
(1) アンカーボルト具を、基礎に埋設されたアンカーボルト上端部に、接続金物を介して、前記アンカーボルトの上端部と軸を一致させて、接続棒材の下端部を連結して構成する。  
(3) 前記アンカーボルトの上端部、前記接続棒材の下端部又は接続金物の少なくとも一つを、「前記第一連結金物の連結部」又は「前記連結金物の第一連結部」に連結する。  
(4) 前記接続棒材の上端部を、「前記第二連結金物の連結部」又は「前記連結金物の第二連結部」に連結する。
【００１１】
さらに、他の発明は、以下のような条件を満たすことを特徴とする連結金物である。  
(1) 柱の側面に固定できる基板の下部に、第一連結部を固定し、上部に第二連結部を形成する。  
(2) 前記第一連結部は、下部を基礎に埋設したアンカーボルト具の上部を、挿通可能な第一挿通孔を有し、第二連結部は、前記アンカーボルト具の上端部を挿通できる第二挿通孔を有する。  
(3) 前記第一連結部は、前記アンカーボルト具の対応部分を連結係止できる係止縁を有し、第二連結部は、前記アンカーボルト具の対応部分を連結係止できる係止縁を有する。
【００１２】
前記における「連結」とは荷重を受けるように接続することを指し、螺合、係止等その構造は任意である。また、とりわけアンカーボルト具と連結金物の連結部との「連結」は、従来の連結と同様で、アンカーボルト具にナットなどで横方向（軸と直角な方向）に膨出部を形成して、膨出部を連結金物の連結部に押さえつけるように係止するが、アンカーボルト具と連結金物の連結部とを物理的に固定することも可能である。
【００１３】
また、前記における「アンカーボルト具」は、上部が基礎に埋設され、下部が基礎から露出した構造であれば、一体の構造又は複数部材（接続棒材など）が連結した構造のいずれでも含まれる。例えば、基礎に埋設したアンカーボルトのみからアンカーボルト具を構成することもできる。この場合、アンカーボルトの上部下側を、直接に又は接続金物（ナット類など）を介して「前記第一連結金物の連結部」又は「前記連結金物の第一連結部」に連結し、アンカーボルトの上部上側を「前記第二連結金物の連結部」又は「前記連結金物の第二連結部」に連結する。また、「アンカーボルト具」には、アンカーボルトと接続棒材とを接続金物を介して連結した場合に、その接続金物を含み、また、アンカーボルトや接続棒材にナット類などを螺合した場合には、そのナット類も含む。
【００１４】
また、例えば、上記のように、「アンカーボルト具」をアンカーボルトと接続棒材とから構成する場合、両部材を連結する位置は、基礎の上面付近、基礎の上面と第一連結金物の連結部（又は「前記連結金物の第一連結部」）との間、第一連結金物の連結部（又は「前記連結金物の第一連結部」）と第二連結金物の連結部（又は「前記連結金物の第二連結部」）との間、等任意である。また、接続棒材は、単独の１本から構成する場合、あるいは、複数の接続棒材片の軸を一致させて連結して、接続棒材とする場合もある。
【発明の効果】
【００１５】
この発明は、柱の側面に、連結部を有する第一連結金物、第二連結金物を軸を一致させて縦列して連結構造とし、あるいは軸を一致させた第一連結部、第二連結部を備えた連結金物を使用して連結構造を構成したので、１つのアンカーボルトに対して、少なくとも２箇所で柱に固定されるので、コンクリート製の基礎と柱の連結を高め、柱の引抜力を強化できる効果がある。また、連結金物、アンカーボルトなどが同軸で縦に一列に並ぶので、柱側面に余裕ができ、和室の真壁構造などに有効に対応できる。
【００１６】
また、１つの連結金物で連結部の数を増やし、あるいは、連結部を有する連結金物の数を縦に増やすことにより、引抜力の調節が容易にできる効果がある。
【発明を実施するための最良の形態】
【００１７】
（１）  鋼板製の基板１の表面１ａの中央部及び下側３に、基端部１０ａ、１２ａを表面１ａに当接して、断面逆Ｕ字状の第一連結部１０、第二連結部１２を夫々固着する。また、第一連結部１０のＵ字状曲面部分の内側に第一挿通孔１１ａ、第二連結部１２のＵ字状曲面部分の内側に、挿通孔１１ａと同軸の第二挿通孔１３ａを形成する（図１（ｃ）（ｄ）（ｅ））。また、第一連結部１０の上端（柱３６に固定した際の使用状態）１１ａを係止縁とし、第二連結部１２の上端（柱３６に固定した際の使用状態）１３ａを夫々係止縁とする。基板１で、第一連結部１０と第二連結部１２の間、基板１の一側２側に、ビス類を挿通する透孔８、８を多数穿設して、連結金物１５を構成する（図１）。
【００１８】
（２）  コンクリート製の基礎２０に、アンカーボルト２５の下端部が埋設され、アンカーボルト２５の上端部２６が基礎２０の上面２１から突出している。  
基礎２０の上面２１に、縦孔２４、２４にアンカーボルト２５を挿通しながら、土台２２を連結する。土台２２の上面２３に、柱３６を立設すると共に、柱２６に、アンカーボルト２６を係止固定しながら、連結金物１５を固定して、連結構造４０を構成する（図２）。この際、アンカーボルト１５の上端部２６の螺糸部に、長ナット２７を螺合し、長ナット２７の上端部に、第二連結部１２を挿通した鋼棒（接続棒材）３０の下端部３１の螺糸部を螺合する。また、鋼棒３０の上端部３２の螺糸部にナット３４を螺合する。続いて、長ナット２７及びナット３４を締め付けて、長ナット２７の下端（アンカーボルト具の対応部分）を第一連結部１０の上端１１に押しつけ、ナット３４の下端（アンカーボルト具の対応部分）を第二連結部１２の上端１３に押しつける。従って、アンカーボルト２５の上端部２６が第一連結部１０の上端１１に係止固定され、鋼棒３０の上端部３２が第二連結部１２の上端１３に係止固定される。
【００１９】
（３）  連結金物１５は、第一連結部１０（連結部１０）を含む下側の連結金物１７Ａと、第二連結部１２（連結部１０）を含む上側の連結金物１５Ｂとに分割して、連結構造４０を構成することもできる（図４）。
【実施例１】
【００２０】
図１〜図３に基づきこの発明の実施例を説明する。
【００２１】
１．連結金物１５の構成
【００２２】
（１）  所定厚さの鋼板から、柱３６の側面３７に当設して、柱３６の側面３７に固定される基板１とする。基板１は、柱３６の軸方向に沿って長い長方形状に形成される。基板１は、柱３６に当設する側の面を裏面１ｂ、他側を表面１ａとし、使用時に下に位置する側を一側２とし、使用時に上に位置する側を他側３とする。
【００２３】
基板１の一側２に、長さ方向に沿った軸上に、表面１ａ側に凸となるように、補強リブ５を形成する。同様に、基板１の中央部４に、長さ方向に沿った軸上に、表面１ａ側に凸となるように、補強リブ６を形成する。補強リブ５、６は、基板１の裏面１ｂ側に凹部５ｂ、６ｂが形成され、軸方向に長い長方形状で両端５ａ、５ａ、６ａ、６ａが円弧状に形成されている。
【００２４】
基板１の補強リブ５、補強リブ６の間、基板１の他側３側に、柱３６と固定する為のビス類を挿通する透孔８、８を多数穿設する。
【００２５】
（２）  基板１の表面１ａ側で、補強リブ５を跨ぐように、断面逆Ｕ字状の第一連結部１０、補強リブ６を跨ぐように、断面逆Ｕ字状の第二連結部１２を夫々固着する。連結部１０、１２の基端部１０ａ、１２ａは、軸方向で補強リブ５、６の中央部両側に夫々位置し、表面１ａに当設固着する。即ち、補強リブ５、６が、夫々連結部１０、１２の挿通孔１１ａ、１３ａを貫通して、補強リブ５、６の中間部は連結部１０、１２内に位置し、補強リブ５、６の両側５ａ、６ａが連結部１０、１２の外側に位置している。
【００２６】
また、第一連結部１０の上端（柱３６に取り付けた際の上端）１１（他側３側の縁、挿通孔１１ａの上端）が係止縁を構成し、第二連結部１２の上端（柱３６に取り付けた際の上端）１３（他側３側の縁、挿通孔１３ａの上端）が係止縁を構成する。
【００２７】
以上のようにして、連結金物１５を構成する（図１）。
【００２８】
２．基礎２０と柱３６の連結構造４０
【００２９】
（１）  通常の方法により、コンクリート製の基礎２０を構築し、この際、通常の方法により基礎２０にアンカーボルト２５、２５が埋設され、アンカーボルト２５の上端部２６が基礎２０の上面２１から突出している。
【００３０】
基礎２０の上面２１に土台２２を載せる。土台２２には、予めアンカーボルト挿通用の縦孔２４、２４が穿設され、アンカーボルト２５の上端部２６は縦孔２４を貫通して、土台の上面２３から上方に突出している。また、必要ならば、土台２２は他のアンカーボルトで基礎２０に固定する（図示していない）。
【００３１】
柱３６の側面３７に、アンカーボルト２５の固定位置に合わせて、連結金物１５をスクリューボルト３８、３８で仮止めしておく。柱３６の柱脚側（下端）３６ａに連結金物１５の基板１の一側２が位置するように配置され、柱３６の軸３６ｂと連結金物１５の軸１６とを一致させてある（図１（ｂ）、図２）。
【００３２】
柱３６を通常の方法により土台２２の上面２３に立て、アンカーボルト２５の上端部２６を連結金物１５の挿通孔１１ａに挿通して、第一連結部１０の上端１１から突出させ、アンカーボルト１５の上端部２６の螺糸部に、ワッシャー２８を介して、長ナット２７を螺合する。
【００３３】
この作業に前後して、柱３６と連結金物１５とを本締めする（必要数のスクリューボルト３８、３８を全て打ち込み、各スクリューボルト３８、３８を必要量だけ締める）。
【００３４】
（２）  続いて、上下端部３１、３２に螺糸部を形成した鋼棒（接続棒材）３０の上端部３２にワッシャー３３及びナット３４を螺合して、鋼棒３０の下端部３１を第二連結部１２の上方から挿通孔１３ａに挿入する。鋼棒３０の下端部３１の螺糸部を、アンカーボルト２５に取り付けた長ナット（接続金物）２７に螺合する。
【００３５】
続いて、長ナット２７及びナット３４を締め付けて、長ナット２７の下端（ワッシャー２８。アンカーボルト具の対応部分）を第一連結部１０の上端１１に押しつけて、ナット３４の下端（ワッシャー３３。アンカーボルト具の対応部分）を第二連結部１２の上端１３に押しつける。これにより、アンカーボルト２５の上端部２６を第一連結部１０の上端１１に係止固定し、鋼棒３０の上端部３２を第二連結部１２の上端１３に係止固定して、連結構造４０を構成する（図２）。
【００３６】
ここで、アンカーボルト２５と鋼棒３０との軸が一致していれば、アンカーボルト２５と鋼棒３０とは軸径や材質は、任意のものを採用することもでき、この場合には、長ナット２７を連結に適した構造とする。
【００３７】
尚、鋼棒３０に代えてボルトを使用すれば、ナット３４が不要であり、ボルトの頭部を第二連結部１２の上端１３に係止固定する（図示していない）。
【００３８】
（３）  続いて、通常の方法により、筋かい、壁、床を構築する（図示していない）。この際、連結金物１５は従来と同様の巾で形成できるので、従来の接合用金物を使用した施工方法と同様の方法を採用できる。とりわけ、和室などの真壁造りの仕上げをする場合に好都合の柱を構成できる。
【００３９】
３．他の実施例
【００４０】
前記実施例において、補強リブ５、６と連結部１０、１２は２つ形成したが、３つ以上形成することもできる（図示していない）。この場合、各連結部の間隔は等間隔とすることが望ましいが、任意である。
【００４１】
また、前記実施例において、補強リブ５、６を形成すれば、第一連結部１０、第二連結部１２の取り付け部分の基板１を補強できるので、結果として連結金物１５全体の強度を高められるので好ましいが、補強リブ５、６は省略できる（図示していない）。
【００４２】
また、前記実施例において、連結金物１５を軸１６を一致させて、複数個を柱３６の側面３７に固定することもできる（図示していない）。この場合には、各連結部１０、１２間に鋼棒３０及び長ナット２７を適用する。
【００４３】
また、前記実施例において、予め柱３６に連結金物１５を仮止めしたが、土台２２に柱３６を立設した後に、連結金物１５を柱３６に固定して連結構造４０を構成することもできる。即ち、連結金物１５の各連結部１０、１２の各挿通孔１１ａ、１３ａにアンカーボルト２５又は鋼棒３０を挿通しながら、長ナット２７などを螺合して、連結金物１５を柱３６の側面３７に当てる。その後、透孔８、８にスクリューボルト３８、３８を打ち込み、連結金物１５を柱３６に固定する。
【００４４】
また、前記実施例において、土台２２の上面２３に柱３６を立設したが、柱３６を直接に基礎２２の上面２１に立設する場合も同様に構成することができる（図示していない）。
【００４５】
また、前記実施例において、鋼棒３０を１本使用したが、２本使用することもできる（図３（ａ））。この場合、アンカーボルト２５と鋼棒３０Ａをナット２９で、鋼棒３０Ａと鋼棒３０を長ナット２７で、夫々連結して、アンカーボルト２５、鋼棒３０Ａ、３０を同軸に連結して使用する。例えば、アンカーボルト２５の上端部２６を基礎２０の上面２１又は土台２２の上面２３付近に位置させて、ナット２９でアンカーボルト２５の上端部２６と鋼棒３０Ａの下端部３１Ａを連結する。鋼棒３０Ａと鋼棒３０の連結は前記実施例１と同様に長ナット２７で連結し、長ナット２７を第１連結部１０に、鋼棒３０の上端部３２に螺合したナット３４を第２連結部１２に押さえつけて支持する。
【００４６】
また、前記実施例において、アンカーボルト２５と鋼棒３０とを同軸となるように長ナット２７で連結したが、鋼棒３０を省略することもできる（図３（ｂ））。この場合、基礎２０の上面２１から露出したアンカーボルト２５の上端部２６を第２連結部１２より上に位置させる。そして、アンカーボルト２５の上部の内、上部下側２５ａに長ナット２７を螺合して、長ナット２７を第１連結部１０の上端１１に押しつける。また、アンカーボルト２５の上部上側２６ｂにワッシャー３３を通して、ナット３４を螺合して、第２連結部１２の上端に押しつける（図３（ｂ））。
【００４７】
また、前記実施例において、ナット２９、３４、長ナット２７等は、内面にネジが切ってあり、アンカーボルト２５や鋼棒３０等を連結できれば、その形状は任意である。
【実施例２】
【００４８】
図４に基づきこの発明の実施例を説明する。
【００４９】
１．連結金物１５Ａ、１５Ｂ
【００５０】
この実施例に使用する連結金物１５Ａ、１５Ｂは、実施例１の連結金物１５において、補強リブ５、６を一つとし、連結部１０、１２を一つとした構造である。
【００５１】
即ち、所定厚さの鋼板から、柱３６の側面３７に当設して、柱３６の側面３７に固定される基板１とし、基板１の一側２に、補強リブ６を形成する。基板１の他側３側に、柱３６と固定する為のビス類を挿通する透孔８、８を多数穿設する。基板１の表面１ａ側で、補強リブ５を跨ぐように、断面逆Ｕ字状の連結部１０を当設固着して、連結金物１５Ａ、１５Ｂを構成する（図４）。
【００５２】
２．基礎２０と柱３６の連結構造４０
【００５３】
（１）  通常の方法により、コンクリート製の基礎２０を構築し、通常の方法により基礎２２にアンカーボルト２５、２５が埋設され、アンカーボルト２５の上端部２６が基礎２０の上面２１から突出している。
【００５４】
基礎２０の上面２１に土台２２を載せる。土台２２には、予めアンカーボルト挿通用の縦孔２４、２４が穿設され、アンカーボルト２５の上端部２６は縦孔２４を貫通して、土台の上面２３から上方に突出している。
【００５５】
柱３６の側面３７に、アンカーボルト２５の固定位置に合わせて、連結金物１５Ａ、１５Ｂをスクリューボルト３８、３８で仮止めし、柱３６の軸３７ｂと連結金物１５Ａ１５Ｂの軸１６とを一致させてある（図４）。
【００５６】
柱３６を通常の方法により土台２２の上面２３に立て、アンカーボルト２５の上端部２６を連結金物１５Ａの挿通孔１１ａに挿通して、連結部１０の上端１１から突出させ、アンカーボルト１５の上端部２６の螺糸部に、ワッシャー２８を介して、長ナット２７を螺合する。
【００５７】
この作業に前後して、柱３６と連結金物１５Ａ、１５Ｂとを本締めする（必要数のスクリューボルト３８、３８を全て打ち込み、各スクリューボルト３８、３８を必要量だけ締める）。
【００５８】
（２）  続いて、上下端部３１、３２に螺糸部を形成した鋼棒（接続棒材）３０の上端部３２にワッシャー３３及びナット３４を螺合して、鋼棒３０の下端３１を連結金物１５Ｂの連結部１０の上方から挿通孔１１ａに挿入する。鋼棒３０の下端部３１の螺糸部を、アンカーボルトに取り付けた長ナット２７に螺合する。
【００５９】
続いて、長ナット２７及びナット３４を締め付けて、長ナット２７の下端（ワッシャー２８）を連結金物１５Ａの連結部１０の上端１１に押しつけて、ナット３４の下端（ワッシャー３３）を連結金物１５Ｂの連結部１０の上端１１に押しつける。これにより、アンカーボルト２５の上端部２６を連結金物１５Ａの連結部１０の上端１１に係止固定し、鋼棒３０の上端部３２を連休用金物１５Ｂの連結部１０の上端１１に係止固定して連結構造４０を構成する（図４）。
【００６０】
ここで、前記実施例１と同様に、アンカーボルト２６と鋼棒３０との軸が一致していれば、アンカーボルト２６と鋼棒３０とは軸径や材質は、任意のものを採用することもでき、この場合には、長ナット２７を連結に適した構造とする。また、実施例１同様に、鋼棒３０に代えてボルトを使用すれば、ナット３４が不要であり、ボルトの頭部を連結金物１５Ｂの連結部１０の上端１１に係止固定する（図示していない）。
【００６１】
（３）  続いて、通常の方法により、筋かい、壁、床を構築する（図示していない）。この際、連結金物１５は従来と同様の巾で形成できるので、従来の接合用金物を使用した施工方法と同様の方法を採用できる。とりわけ、和室などの真壁造りの仕上げをする場合に好都合の柱を構成できる。
【００６２】
３．他の実施例
【００６３】
前記実施例において、連結金物１５Ａ、１５Ｂを２つ使用したが、３つ以上使用することもできる（図示していない）。
【００６４】
また、前記実施例において、実施例１の連結金物１５を使用することもできる（図示していない）。また、前記実施例において、連結金物１５Ａ、１５Ｂは、従来の引き寄せ金物（ホールダウン金物）を使用することもできる（図示していない）。
【００６５】
また、前記実施例において、予め柱３６に連結金物１５Ａ、１５Ｂを仮止めしたが、実施例１と同様に、土台２２に柱３６を立設した後に、連結金物１５Ａ、１５Ｂを柱３６に固定して連結構造４０を構成することもできる。即ち、連結金物１５Ａの連結部１０の挿通孔１１ａにアンカーボルト２５を挿通し、長ナット２７、鋼棒３０を連結しながら、連結金物１５Ａ、１５Ｂを柱３６の側面３７に当てる。前後して、透孔８、８にスクリューボルト３８、３８を打ち込み、連結金物１５Ａ、１５Ｂを柱３６に固定する。
【００６６】
前記実施例において、実施例１と同様に、アンカーボルト２５と鋼棒３０を２本使用し（図３（ａ）参照）、鋼棒３０を省略して、アンカーボルト２５のみで（図３（ａ）（ｂ）参照）、夫々アンカーボルト具を構成することもできる。アンカーボルト２５と鋼棒３０等とは、前記実施例と同様に、アンカーボルト具としての対応部分が、第１連結金物１５Ａの連結部１０、第２連結金物１５Ｂの連結部１０に荷重を支持できるように押さえつけて連結される。
【図面の簡単な説明】
【００６７】
【図１】この発明の実施例の連結金物で、（ａ）は正面図、（ｂ）は平面図、（ｃ）はＡ−Ａ断面図、（ｄ）は左側面図、（ｅ）は右側面図である。
【図２】この発明の実施例１の連結構造の斜視図である。
【図３】（ａ）（ｂ）は、この発明の他の構成のアンカーボルト具を説明した概略した縦断面図である。
【図４】同じく実施例２の連結構造の斜視図である。
【図５】（ａ）〜（ｃ）は、従来例の斜視図である。
【符号の説明】
【００６８】
１  基板
１ａ  基板の表面
２ｂ  基板の裏面
２  基板の一側
３  基板の他側
４  基板の中央部
５  補強リブ
６  補強リブ
８  透孔
１０  第一連結部
１０ａ  第一連結部の基端
１１  第一連結部の上端
１１ａ  第一連結部挿入孔
１２  第二連結部
１２ａ  第二連結部の基端
１３  第二連結部の上端
１３ａ  第二連結部挿入孔
１５、１５Ａ、１５Ｂ  連結金物
２０  基礎
２１  基礎の上面
２２  土台
２３  土台の上面
２５  アンカーボルト
２６  アンカーボルトの上端部
２７  長ナット（接続金物）
２８  ワッシャー
３０、３０Ａ  鋼棒（接続棒材）
３３  ワッシャー
３４  ナット
３６  柱
３７  柱の側面
４０  連結構造
４１  アンカーボルト２５の膨出部
４２  引き寄せ金物（従来例）
【図１】
2008175049.tif 000003
【図２】
2008175049.tif 000004
【図３】
2008175049.tif 000005
【図４】
2008175049.tif 000006
【図５】
2008175049.tif 000007